(57)【要約】【課題】プリンタドライバ及び印刷環境情報の情報処理端末へのインストール作業を容易にする。【解決手段】プリンタドライバのインストールシステム１は、ＭＦＰ１０とＮＦＣ通信を可能にすると共にＰＣ３０に対して電子メールの送信を可能にする携帯端末２０を備える。携帯端末２０は、ＮＦＣ通信を介して、ＭＦＰ１０のＩＰアドレス情報、印刷環境情報及びプリンタドライバの保存ＵＲＬを含む設定情報を取り込む取込部２１１、設定情報を実行ファイル化する処理を行うファイル処理部２１２、及び実行ファイル化された実行ファイルを電子メールでＰＣ３０に送信する通信処理部２１３を備える。【選択図】図３
2018112773.tif 000002
【特許請求の範囲】
【請求項１】
画像形成装置とネットワークを介して接続された情報処理端末にプリンタドライバをインストールする方法において、
前記画像形成装置と近距離無線通信を介して、前記画像形成装置のＩＰアドレス情報、印刷環境情報及びプリンタドライバ保存情報を含む設定情報を携帯端末に転送する転送ステップと、
前記画像形成装置及び前記携帯端末の一方で前記設定情報を実行ファイル化するファイル処理ステップと、
前記実行ファイル化された実行ファイルを電子メールで前記携帯端末から前記情報処理端末に送信する送信ステップとを備えたことを特徴とするプリンタドライバのインストール方法。
【請求項２】
前記プリンタドライバ保存情報は、前記プリンタドライバが格納されているウェブサーバ内のアドレス情報であることを特徴とする請求項１に記載のプリンタドライバのインストール方法。
【請求項３】
前記実行ファイルの送信先である前記情報処理端末の宛先情報を前記携帯端末から前記画像形成装置に送信して前記画像形成装置に登録する登録ステップを備えた請求項１又は２に記載のプリンタドライバのインストール方法。
【請求項４】
前記携帯端末は、前記画像形成装置との近距離無線通信を受けて、各ステップを実行する専用プログラムが起動されることを特徴とする請求項１〜３のいずれかに記載のプリンタドライバのインストール方法。
【請求項５】
画像形成装置とネットワークを介して接続された情報処理端末にプリンタドライバをインストールするシステムにおいて、
前記画像形成装置と近距離無線通信を可能にすると共に前記情報処理端末に対して電子メール送信を可能にする携帯端末を備え、
前記携帯端末は、前記近距離無線通信を介して、前記画像形成装置のＩＰアドレス情報、印刷環境情報及びプリンタドライバ保存情報を含む設定情報を取り込む取込手段を備え、
前記画像形成装置及び前記携帯端末の一方は、前記設定情報を実行ファイル化する処理を行うファイル処理手段を備え、
前記携帯端末は、前記実行ファイル化された実行ファイルを電子メールで前記情報処理端末に送信する通信処理手段とを備えたことを特徴とするプリンタドライバのインストールシステム。
【請求項６】
プリンタドライバを携帯端末によって画像形成装置から情報処理端末にインストールするプログラムであって、
前記画像形成装置と近距離無線通信を行い、前記画像形成装置のＩＰアドレス情報、印刷環境情報及びプリンタドライバ保存情報を含む設定情報を取り込む取込ステップ、
前記設定情報を実行ファイル化する処理を行うファイル処理ステップ、
前記実行ファイル形式の実行ファイルを電子メールで前記情報処理端末に送信する送信ステップを、前記携帯端末に実行させるプログラム。
【請求項７】
ネットワークを介して情報処理端末からのプリント指示を受け付ける画像形成装置において、
携帯端末と近距離無線通信を行って、前記画像形成装置のＩＰアドレス情報、印刷環境情報及びプリンタドライバ保存情報を含む設定情報を前記携帯端末に転送する近距離無線通信部を備えたことを特徴とする画像形成装置。
【発明の詳細な説明】
【技術分野】
【０００１】
本発明は、プリンタドライバ及び印刷環境情報を情報処理端末にインストールする技術に関する。
【背景技術】
【０００２】
今日、職場等に設置されたパーソナルコンピュータ（ＰＣ）をネットワークを経て画像形成装置（ＭＦＰ：Multi function Peripheral）に接続し、インストールしたプリンタドライバを使用することで、ＰＣからＭＦＰに対してプリント指示を可能にしている。しかしながら、例えば機器の入れ替えや、ネットワーク環境が変更されるなどの場合、または新たなＰＣをＭＦＰに接続するような場合、ＭＦＰに適合するプリンタドライバをＰＣにインストールし直す必要がある。この場合に、対応したプリンタドライバを検索して各ＰＣにインストールし、環境設定を行う作業の煩雑さを考慮して、作業負担を軽減し得るインストール方法が提案されている。
【０００３】
特許文献１，２には、プリンタにＵＳＢメモリを装着して、ＵＳＢメモリにプリンタドライバ及び印刷環境情報を取り込み、次いで、取り込み後のＵＳＢメモリをＰＣに装着して、ＰＣ側に転送することで、作業の煩雑さを緩和する技術が記載されている。また、特許文献３には、携帯端末とプリンタとの間でＮＦＣ（Near Field Communication）カードを持ち運び、ＮＦＣカードを仲介させて携帯端末からプリンタに印刷設定情報やネットワーク設定情報を近接無線通信で送信する技術が記載されている。
【先行技術文献】
【特許文献】
【０００４】
【特許文献１】特開２０１１−７３１９７号公報
【特許文献２】特開２００９−２２３６７２号公報
【特許文献３】特開２０１４−１００８８７号公報
【発明の概要】
【発明が解決しようとする課題】
【０００５】
特許文献１，２に記載のプリンタドライバのインストール技術は、ＵＳＢメモリを装着することで実行されるため、ＰＣへのインストールの際に、対象となるＰＣの設置場所まで移動しなければならないため作業に時間を要し、その分煩雑となる。特に、インストール作業が複数台のＰＣを対象とする場合や、プリンタから離れている（例えば別室、別フロアー）場合には煩雑となる。また、プリンタドライバ及び印刷環境情報は個々にインストールされるため、ＰＣ側で利用可能な状態にする処理を要する。
【０００６】
なお、特許文献３は、ＮＦＣカードを持ち運ぶことで、近接無線通信によって携帯端末から印刷設定情報等を取り込み、プリンタに渡す技術であり、加えてプリンタ側から携帯端末を介してＰＣへプリンタドライバ等をインストールする技術ではない。
【０００７】
本発明は、前記課題に鑑みてなされたもので、情報処理端末へのプリンタドライバ及び印刷環境情報のインストール作業を容易にしたプリンタドライバのインストール方法、インストールシステム、プログラム及び画像形成装置を提供することを目的とする。
【課題を解決するための手段】
【０００８】
本発明は、画像形成装置とネットワークを介して接続された情報処理端末にプリンタドライバをインストールする方法において、前記画像形成装置と近距離無線通信を介して、前記画像形成装置のＩＰアドレス情報、印刷環境情報及びプリンタドライバ保存情報を含む設定情報を携帯端末に転送する転送ステップと、前記画像形成装置及び前記携帯端末の一方で前記設定情報を実行ファイル化するファイル処理ステップと、前記実行ファイル化された実行ファイルを電子メールで前記携帯端末から前記情報処理端末に送信する送信ステップとを備えたことを特徴とするものである。
【０００９】
また、本発明は、画像形成装置とネットワークを介して接続された情報処理端末にプリンタドライバをインストールするシステムにおいて、前記画像形成装置と近距離無線通信を可能にすると共に前記情報処理端末に対して電子メール送信を可能にする携帯端末を備え、前記携帯端末は、前記近距離無線通信を介して、前記画像形成装置のＩＰアドレス情報、印刷環境情報及びプリンタドライバ保存情報を含む設定情報を取り込む取込手段を備え、前記画像形成装置及び前記携帯端末の一方は、前記設定情報を実行ファイル化する処理を行うファイル処理手段を備え、前記携帯端末は、前記実行ファイル化された実行ファイルを電子メールで前記情報処理端末に送信する通信処理手段とを備えたことを特徴とするものである。
【００１０】
また、本発明は、プリンタドライバを携帯端末によって画像形成装置から情報処理端末にインストールするプログラムであって、前記画像形成装置と近距離無線通信を行い、前記画像形成装置のＩＰアドレス情報、印刷環境情報及びプリンタドライバ保存情報を含む設定情報を取り込む取込ステップ、前記設定情報を実行ファイル化する処理を行うファイル処理ステップ、前記実行ファイル形式の実行ファイルを電子メールで前記情報処理端末に送信する送信ステップを、前記携帯端末に実行させるものである。
【００１１】
これらの発明によれば、画像形成装置に携帯端末を近づけて、取込手段により近距離無線通信を行わせることで、画像形成装置から携帯端末に、前記画像形成装置のＩＰアドレス情報、印刷環境情報及びプリンタドライバ保存情報を含む設定情報が取り込まれる。前記設定情報は、前記画像形成装置又は前記携帯端末で実行ファイル化される。そして、通信処理手段で、実行ファイル化された実行ファイルが情報処理端末に電子メールで送信される。従って、情報処理端末へのプリンタドライバ及び印刷環境情報のインストール作業が容易となり、かつ高い利便性が確保される。
【００１２】
また、前記プリンタドライバ保存情報は、前記プリンタドライバが格納されているウェブサーバ内のアドレス情報であることを特徴とする。この構成によれば、プリンタドライバのデータ容量の大小に関わらず、効率的にプリンタドライバの取得が可能となる。
【００１３】
また、本発明は、前記実行ファイルの送信先である前記情報処理端末の宛先情報やユーザ名などを前記携帯端末から前記画像形成装置に送信して前記画像形成装置に登録する登録ステップを備えたものである。この構成によれば、画像形成装置側で読み取った原稿画像を情報処理端末に送信する際の送信先の設定作業が容易となる。なお、宛先情報としては、前記情報処理端末を特定するためのメールアドレスやＩＰアドレスなどである。
【００１４】
また、前記携帯端末は、前記画像形成装置との近距離無線通信を受けて、各ステップを実行する専用プログラムが起動されることを特徴とする。この構成によれば、携帯端末を画像形成装置にかざすだけで、各ステップが自動で実行されるので、インストール作業が容易となる。
【００１５】
また、本発明は、ネットワークを介して情報処理端末からのプリント指示を受け付ける画像形成装置において、携帯端末と近距離無線通信を行って、前記画像形成装置のＩＰアドレス情報、印刷環境情報及びプリンタドライバ保存情報を含む設定情報を前記携帯端末に転送する近距離無線通信部を備えたことを特徴とするものである。本発明によれば、外部の情報処理端末へのプリンタドライバのインストール作業を容易にする画像形成装置を提供することが可能となる。
【発明の効果】
【００１６】
本発明によれば、情報処理端末へのプリンタドライバ及び印刷環境情報のインストール作業を容易にし、高い利便性を確保することができる。
【図面の簡単な説明】
【００１７】
【図１】本発明に係るプリンタドライバのインストールシステムの概要を示す全体図である。
【図２】ＭＦＰのブロック図である。
【図３】携帯端末のブロック図である。
【図４】ＰＣのブロック図である。
【図５】第１実施形態に係るインストール処理のフローチャートである。
【図６】第２実施形態に係るインストール処理のフローチャートである。
【発明を実施するための形態】
【００１８】
図１に示すように、本発明に係るインストールシステム１は、画像形成装置（以下、ＭＦＰという）１０、スマートフォン等の携帯端末２０、及びパーソナルコンピュータ等の情報処理端末（以下、ＰＣという）３０を含み、ＭＦＰ１０、携帯端末２０及びＰＣ３０はそれぞれインターネットなどのネットワーク４０に接続されている。ウェブサーバ５０は、ネットワーク４０上に設けられ、種々の情報が格納されたものである。例えばブラウズ機能を用いることで、ＰＣ３０からネットワーク４０を介して対象の情報が閲覧でき、さらに所望する情報をＰＣ３０に取り込むことが可能である。携帯端末２０は、無線ＬＡＮの規格のひとつであるＷｉＦｉＬＡＮを利用してネットワーク４０と接続可能にされている。
【００１９】
図２は、ＭＦＰ１０の一実施形態を示すブロック図である。ＭＦＰ１０は、制御部１１、印刷部１２、タッチパネル１３、読取部１４及び記憶部１５を備えている。また、ＭＦＰ１０は、ＮＩＣ１６及びＮＦＣ１７を備えている。
【００２０】
制御部１１は、ＣＰＵを備えたコンピュータで構成され、各部の動作を制御する。印刷部１２は、画像データを変調して感光体に露光する露光部、感光体を含む像形成部、転写部、定着部及び用紙搬送部を備え、搬送中の用紙にモノクロ又はカラーのトナーで形成された画像をプリントする。用紙搬送部は、上流に各種の給紙デスクを備え、下流に排紙トレイや必要に応じたフィニッシャー等を備えている。タッチパネル１３は、ＭＦＰ１０の外部適所に配置され、表示パネルとシート状のタッチセンサとが重畳されたもので、表示された各種のボタン、アイコンへの指示操作を受け付ける。また、各種のキー等の操作部材が更に設けられていてもよい。読取部１４は、撮像手段によって原稿の画像を光学的に読み取るものである。記憶部１５は、情報を記憶するもので、制御プログラム、各ドライバ及び種々の設定情報等を記憶するメモリエリア部と、データ処理を実行するワークエリア部とを備えている。また、記憶される設定情報には、ＭＦＰ１０のＩＰアドレス、印刷設定情報であるＭＦＰ１０の印刷環境のオプション構成に係る情報（印刷環境情報）、及びＭＦＰ１０のプリンタドライバの保存情報（例えばウェブサーバ５０のＵＲＬ情報）を含む。
【００２１】
ＮＩＣ（Network Interface Card）１６は、制御部１１をネットワーク４０に接続するものである。ＮＦＣ１７は、ＭＦＰ１０の外部適所に搭載されたアンテナ１７１から数センチ〜１メートル程度の近距離での無線通信を行うものである。
【００２２】
制御部１１は、記憶部１５に記憶されている制御プログラムが実行されることによって、通信処理部１１１、印刷処理部１１２として機能する。通信処理部１１１は、ＮＩＣ１６及びネットワーク４０を介して外部の情報処理端末３０との間で情報通信を行わせるものである。また、通信処理部１１１及びＮＦＣ１７によって、アンテナ１７１にかざされた（近づけられた）携帯端末２０との間で近距離無線通信処理を実行する。
【００２３】
印刷処理部１１２は、タッチパネル１３から設定された、あるいは後述するようにネットワーク４０を介して情報処理端末３０からのプリント指示要求を受け付けて、画像処理を行い、印刷部１２に出力する。
【００２４】
図３は、携帯端末２０の一実施形態を示すブロック図である。携帯端末２０は、制御部２１、タッチパネル２２及び記憶部２３を備えている。また、携帯端末２０は、ＷｉＦｉ部２４及びＮＦＣ２５を備えている。
【００２５】
制御部２１は、ＣＰＵを備えたコンピュータで構成され、各部の動作を制御する。タッチパネル２２は、携帯端末２０の外部適所に配置され、表示パネルとシート状のタッチセンサとが重畳されたもので、表示された各種のボタン、アイコンへの指示操作を受け付ける。また、各種のキー等の操作部材が更に設けられていてもよい。
【００２６】
ＷｉＦｉ部２４は、制御部１１を無線ＬＡＮ経由でネットワーク４０に接続するものである。ＮＦＣ２５は、携帯端末２０の外部適所に搭載されたアンテナ２５１から数センチ〜１メートル程度の近距離での無線通信を行うものである。
【００２７】
記憶部２３は、携帯端末として機能するための制御プログラムや設定データ等を記憶するメモリエリア部と、データ処理を実行するワークエリア部とを備えている。記憶部２３は、また、ＭＦＰ１０とのＮＦＣ通信処理及び関連処理を実行するための、後述する専用プログラムを記憶している。
【００２８】
制御部２１は、記憶部２３に記憶されている専用プログラム、制御プログラムが実行されることによって、取込部２１１、ファイル処理部２１２及び通信処理部２１３として機能する。取込部２１１は、ＮＦＣ２５を介してＭＦＰ１０から固有の設定情報を内部の記憶部２３に取り込ませるものである。ＭＦＰ１０の固有の設定情報とは、前述したＩＰアドレス、オプション構成の情報及びプリンタドライバの保存情報を含む。ＭＦＰ１０のオプション構成の情報とは、印刷環境設定情報、印刷条件情報等を含む。プリンタドライバの保存情報とは、前述したように、例えば所定のウェブサーバ５０に保管されているプリンタドライバのアドレス（ＵＲＬ）をいう。ソフトウェアであるプリンタドライバは容量が大きいことから、ＭＦＰ１０からＮＦＣ通信による取得はせず、ネットワーク４０上に予め保管（例えばＭＦＰ１０の記憶部１５のうちのＨＤＤ含む。）しておき、必要時に当該場所から収集するようにしている。
【００２９】
ファイル処理部２１２は、収集した情報を包含したＰＣ用の実行形式のファイルを作成するものである。これにより、後述するように情報処理端末３０側から、プリントのための実行ファイルを操作することで、所望条件でのプリント指示の操作が可能となる。
【００３０】
通信処理部２１３は、ＷｉＦｉ部２４及びネットワーク４０を介して外部の情報処理端末３０との間で情報通信、例えば添付ファイルを電子メールで送信するものである。また、通信処理部２１３及びＮＦＣ２５は、携帯端末２０が、ＭＦＰ１０のアンテナ１７１にかざされたときに、ＭＦＰ１０との間でＮＦＣ通信を確立して近距離無線通信処理を実行するものである。
【００３１】
図４は、ＰＣ３０の一実施形態を示すブロック図である。ＰＣ３０は、制御部３１、表示部３２、操作部３３、ＲＡＭ３４及びＨＤＤ３５を備えている。また、ＰＣ３０は、ＮＩＣ３６を備えている。
【００３２】
制御部３１は、ＣＰＵを備えたコンピュータで構成され、各部の動作を制御する。表示部３２は、各種の画像を表示するもので、ＭＦＰ１０に対してプリント指示を行う場合に、操作受付画面の表示を行う。操作部３３は、通常の情報処理の他、ＭＦＰ１０に対するプリント指示を行う際に使用される各種キー部材、ポインタ等を含む操作部材を備えている。操作部３３は、タッチパネルを含む態様でもよい。
【００３３】
ＲＡＭ３４は、処理途中の情報を一時的に記憶するものである。ＨＤＤ（Hard Disk Drive）は、制御部３１によって実行される各種のプログラムや設定情報が記憶されている。ＨＤＤ３５には、携帯端末２０から送信される設定情報、及びウェブサーバ５０から取り込まれるプリンタドライバを格納する。ＮＩＣ（Network Interface Card）３６は、制御部３１をネットワーク４０に接続するものである。
【００３４】
制御部３１は、ＨＤＤ３５に記憶されているプログラムがＲＡＭ３４上で実行されることによって、通信処理部３１１、インストール処理部３１２及び実行ファイル処理部３１３として機能する。通信処理部３１１は、ＮＩＣ３６及びネットワーク４０を介して、少なくともＭＦＰ１０、携帯端末２０及びウェブサーバ５０との間で情報通信を行わせるものである。
【００３５】
インストール処理部３１２は、携帯端末２０から電子メールで送信されてきた添付ファイルをＨＤＤ３５に格納するものである。インストール処理部３１２は、プリンタドライバ保存情報であるＵＲＬを認識して、当該ＵＲＬからプリンタドライバをコピーして取り込み、ＨＤＤ３５に保管する。
【００３６】
実行ファイル処理部３１３は、ＰＣ３０からＭＦＰ１０に対して印刷指示操作を行う場合に、実行ファイルの起動及び処理を行わせるものである。実行ファイル処理部３１３は、実行ファイルが起動されることで、プリントドライバの取得とインストール処理とを行い、このとき、ＭＦＰ１０のＩＰアドレス情報を元にＭＦＰ１０のアドレスを設定すると共に、オプション構成の情報をインストールした内容に反映する。ＭＦＰ１０のオプション構成の設定例としては、給紙デスクの種類や接続段数情報、フィニッシャーや排紙トレイの種類／有無などがある。これらの設定により、ＰＣ３０からＭＦＰ１０に対して印刷指示操作をする際や、ＭＦＰ１０のステータス情報を取得する際に、より詳細な指示を行うことが可能となる。
【００３７】
図５は、第１実施形態に係るインストール処理のフローチャートである。本フローチャートは、ＭＦＰ１０、携帯端末２０及びＰＣ３０の各制御部１１，２１，３１で行われる処理を示している。なお、処理の一部において、説明の便宜上、ＮＦＣ１７，２５に内蔵されているＣＰＵによって処理される手順を含めて説明している。
【００３８】
まず、携帯端末２０を操作して専用プログラム（専用アプリケーション）の起動が行われる（ステップＳＴ１）。この状態で、携帯端末２０がＭＦＰ１０のＮＦＣ１７のアンテナ１７１にかざされると、ＭＦＰ１０との間でＮＦＣ通信が開始される。この例では、例えば携帯端末２０側がマスタとして動作し、ＭＦＰ１０との間のシェイクハンド通信を経て、互いにＮＦＣ通信の確立を確認する（ステップＳ１，ステップＳＴ３）。
【００３９】
ＭＦＰ１０の制御部１１によって、ＮＦＣ通信の確立を条件に発生されるＮＦＣ１７からの割込情報が認識されて（ステップＳ３）、携帯端末２０に対する待機状態となる。
【００４０】
同様に、ＮＦＣ通信の確立を受けて、携帯端末２０の制御部２１によって、ＮＦＣ２５を介して、予め定義されている設定情報送信の命令データが、ＮＦＣ１７経由でＭＦＰ１０に送信される（ステップＳＴ５）。
【００４１】
ＭＦＰ１０の制御部１１は、受信したデータの解釈を行うことで設定情報送信の命令データが受信されたことを確認すると（ステップＳ５）、必要な情報を収集して前記の設定情報としてＮＦＣ２５経由で携帯端末２０に送信する（ステップＳ７）。
【００４２】
携帯端末２０は、ＭＦＰ１０からＮＦＣ２５を経由して設定情報を受信すると、受信した設定情報を実行ファイル化する処理を行う（ステップＳＴ７）。
【００４３】
続いて、携帯端末２０の制御部２１は、メール送信画面の表示を行い（ステップＳＴ９）、実行ファイルのメール送信先の入力を促す。メール送信先は、実行ファイルを使用してＭＦＰ１０でのプリントを指示するＰＣ３０が対象となる。制御部２１は、メール送信先の入力が行われ、送信指示を確認すると、入力されたメール送信先に実行ファイルを添付して電子メール送信を行う（ステップＳＴ１１）。なお、メール送信先となるＰＣ３０は、１台に限定されず、一括で送信するべく複数台でもよい。
【００４４】
ＰＣ３０は、電子メールの送信を受けると（ステップＱ１）、記憶部に、例えばＨＤＤ３５に格納する。次いで、ユーザの指示を受けるなどして、インストール処理部３１２によって添付ファイルが起動されると、ＲＡＭ３４上に展開されて、ＵＲＬ情報からプリントドライブをインストールすると共に、ネットワークの設定、オプションの設定を行う（ステップＱ３）。以降、ＰＣ３０からＭＦＰ１０に対してプリント対象画像及びプリント条件を設定してのプリン指示が可能となる。このように、インストール処理時において各情報（ファイル）が実行ファイル化された状態で提供されるので、インストール作業が容易となる。
【００４５】
なお、ステップＳＴ１１において、携帯端末２０は、ＰＣ３０に実行ファイルを電子メール送信したが、併せて、例えば同時に、ＮＦＣ通信を行ったＭＦＰ１０に、添付ファイル無しの状態で電子メール送信をしてもよい。ＭＦＰ１０への電子メールには、実行ファイルをメール送信したＰＣ３０のＩＰアドレスやメールアドレス等の宛先情報、さらにはユーザ名等の個人を特定できる情報などが付加される。
【００４６】
ＭＦＰ１０は、電子メールを受信すると（ステップＳ９）、連絡先データベースに、実行ファイルがメール送信されたＰＣ３０のメールアドレスの登録を行う（ステップＳ１１）。このようにして、ＭＦＰ１０の連絡先データベースに、これらのＰＣ３０のＩＰアドレスやメールアドレス等の宛先情報やユーザ名などが自動的に順次格納（登録）される。従って、登録後において、ユーザがＭＦＰ１０を操作して原稿を読み取らせ、読み取った原稿画像を当該ユーザの操作するＰＣ３０に転送する、いわゆるSCAN to E-MAILやSCAN to FTP、SCAN to SMB等の操作を行うときに、既に自身の情報が登録されているため、その都度入力する作業が不要となり、操作が容易となる。
【００４７】
図６は、第２実施形態に係るインストール処理のフローチャートである。なお、処理の一部において、説明の便宜上、ＮＦＣ１７，２５に内蔵されているＣＰＵによって処理される手順を含めて説明している。
【００４８】
まず、ＭＦＰ１０のタッチパネル１３を操作するなどによって、あるいは特定のモード、例えば印刷モードに移行している状態では自動で、設定情報ＮＦＣ送信モードの選択が行われる（ステップＳ２１）。次いで、ＭＦＰ１０の設定情報が準備されて、前述したような実行ファイル化が行われ（ステップＳ２３）、他機状態となる。この状態において、携帯端末２０からＮＦＣ通信からの送信を検出すると、ＮＦＣ通信の確立のための処理を実行して、確立を確認する（ステップＳ２５）。
【００４９】
次いで、ＭＦＰ１０の制御部１１によって、ＮＦＣ通信の確立に基づいて発生するＮＦＣ１７からの割込が認識される（ステップＳ２７）。制御部１１は、この割込を受けると、マスタとして、専用アプリケーションを起動させるためのＮＤＥＦ（ＮＦＣのDate exchange format）データを携帯端末２０に送信する（ステップＳ２９）。
【００５０】
携帯端末２０は、ＭＦＰ１０からのＮＤＥＦデータの受信を受けると、ＮＤＥＦ専用アプリケーションの起動を行う（ステップＳＴ２３）。次いで、携帯端末２０は、設定情報送信の命令をＭＦＰ１０へ送信する（ステップＳＴ２５）。
【００５１】
ＭＦＰ１０は、携帯端末２０から設定情報送信の命令を受信すると（ステップＳ３１）、準備しておいた実行ファイルをＮＦＣ１７経由で携帯端末２０に送信する（ステップＳ３３）。
【００５２】
携帯端末２０は、ＭＦＰ１０からＮＦＣ２５を経由して実行ファイルを受信すると（ステップＳ２７）、受信した実行ファイルを記憶部２３に記憶する。
【００５３】
次いで、携帯端末２０は、メール送信画面の表示を行い（ステップＳＴ２９）、実行ファイルのメール送信先のＰＣ３０のアドレス入力を促す。なお、以降は、図５と同一なので説明は省略する。
【００５４】
なお、図５のフローチャートにおいて、実行ファイル化への処理は、ステップＳ５の後、ＭＦＰ１０側で行ってもよい。また、図６のフローチャートにおいて、実行ファイル化への処理は、ステップＳＴ２７の直後に、携帯端末２０側で行ってもよい。
【００５５】
また、近接無線通信部としてＮＦＣを利用したが、これに限定されず、第３実施形態として、赤外光や音波を利用した近距離無線通信部を採用してもよい。
【００５６】
また、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００５７】
１  インストールシステム
１０  ＭＦＰ（画像形成装置）
１１１  通信処理部
１７  ＮＦＣ
２０  携帯端末
２１１  取込部（取込手段）
２１２  ファイル処理部（ファイル処理手段）
２１３  通信処理部（通信処理手段）
２５  ＮＦＣ（取込手段、近距離無線通信部）
３０  ＰＣ（情報処理端末）
３１２  インストール処理部
４０  ネットワーク
５０  ウェブサーバ
【図１】
2018112773.tif 000003
【図２】
2018112773.tif 000004
【図３】
2018112773.tif 000005
【図４】
2018112773.tif 000006
【図５】
2018112773.tif 000007
【図６】
2018112773.tif 000008